(57)【特許請求の範囲】
【請求項１】
周囲の明るさを検出する照度検出手段と、人体の存在を検知する人体検知手段と、照明負荷を点灯制御する制御部と、停電検知回路部とを備え、前記照度検出手段によって検出された周囲の照度が予め設定された所定照度以下の場合に前記人体検知手段が人体を検知したときには、前記照明負荷をフル点灯（１００％点灯）制御し、前記人体検知手段が人体を検知しないときには、前記照明負荷を調光点灯、またはフル点灯（１００％点灯）制御させ、前記照度検出手段での検出照度が所定照度よりも高くなると、前記照明負荷を消灯させる制御手段（第一の制御手段）と、人体検知手段と照度検出手段の出力に関係なく強制的に前記照明負荷を連続点灯（フル点灯）させる制御手段（第二の制御手段）とを有し、壁スイッチのようなスイッチのＯＦＦ、ＯＮ操作により照明負荷の状態を変化させて切り替えることのできる制御装置を内蔵した照明装置であって、前記スイッチのＯＦＦ、ＯＮの切り替えを有効または無効とする切替手段を設け、前記スイッチの操作と組合せ、電源ＯＦＦ、ＯＮによる電源ＯＦＦ時間が所定時間内であるかどうかを判定し、所定時間内であれば、前記第一の制御手段から前記第二の制御手段へ移行させる照明装置において、強制的に前記照明負荷を消灯させる制御手段（第三の制御手段）を備え、有効である場合には、前記スイッチのＯＦＦ、ＯＮ操作により第一の制御手段から第二、第三へと順次移行させ、無効である場合には、第一の制御手段から第三の制御手段へ移行させることを特徴とする照明装置。
【請求項２】
請求項１記載の照明装置本体を有していることを特徴とする照明器具。
【発明の詳細な説明】
【０００１】
【発明の属する技術分野】
本発明は、照明装置に関し、さらに詳しくは、ＯＦＦ、ＯＮ操作により負荷の状態を変化させて切り替えることのできる照明装置に関するものである。
【０００２】
【従来の技術】
従来の照明装置としては、図９に示すごとく、周囲の明るさを検出する照度検出手段１１と、人体の存在を検知する人体検知手段１２と、前記検出手段１１及び１２の信号を受けて照明負荷１７の点灯制御信号を出力する制御部１３と、制御部１３より出力される制御信号を受けて照明負荷１７を点灯制御する点灯回路部１４と、商用電源３０から直流電圧を生成する電源回路部１５と、停電を検知する停電検知回路部１６と、照明負荷（光源）１７とを備えていたものであった。
【０００３】
この照明装置の動作を簡単に説明すると、照度検出手段１１によって検出された周囲の照度が予め設定された所定照度以下になると、制御部１３は点灯回路部１４へ制御信号を出力し、点灯回路部１４は照明負荷１７を調光制御する。照度検出手段１１の検出照度が所定照度以下の場合であって、人体検知手段１２が人体を検知したときには、制御部１３は照明負荷１７をフル点灯（１００％点灯）制御し、人体検知終了後もフル点灯状態を点灯保持時間分だけ保持制御される。また、照度検出手段１１での検出照度が所定照度よりも高くなると、制御部１３は照明負荷１７を消灯制御させるものである。前記制御動作を以下、センサモードと呼ぶ。
【０００４】
ここで、センサモードの状態であって、スイッチ２０がＯＦＦされると、停電検知回路部１６は制御部１３へ信号を出力し、制御部１３は再びスイッチ２０がＯＮされるまでの時間が所定時間内（例えば０．２秒から２秒）であるかどうかを判定する。スイッチ２０のＯＦＦ時間が所定時間内であれば、照度検出手段１１と人体検知手段１２との出力に関係なく制御部１３は強制的に照明負荷１７を連続点灯（フル点灯）させる制御動作へ移行する。前記制御動作を以下、連続モードと呼ぶ。
【０００５】
このように構成された照明装置本体１０は、例えば壁スイッチのようなスイッチ操作により簡単にセンサモードから連続モードへのモード移行ができるものであるため、モード移行のスイッチ手段を別途照明装置内に設ける必要がなく、コストがかからないばかりか、照明器具が例えば玄関の天井などの高所に設置された場合であっても、簡単にモード移行ができるものである。
【０００６】
【発明が解決しようとする課題】
しかしながら、このような照明装置においては、簡単なスイッチ操作によりセンサモードから連続モードへ移行させることができるが、必ずしもユーザーが意図した操作のみで移行するわけではないものであった。例えば、落雷などの瞬時停電などによってもモードが移行してしまい、照明負荷が連続点灯を継続するため、つきっ放しとなり電力が浪費されるという問題点があった。また、ユーザーが誤ってスイッチ操作をした場合でも同様の不具合がおきてしまうものであった。
【０００７】
この問題点を解決するために、制御部１３の内部にタイマー部１９を設け（図示せず）、連続モードに移行した時点で前記タイマー部を動作させ、タイマー部が動作中の場合は連続モードを継続するが、所定時間が経過すると制御部１３は自動的に連続モードからセンサモードへ戻す照明装置もあった。
【０００８】
しかしながら、このような照明装置においても、タイマー部が動作中である限り、電力が浪費されるという問題点が解決したことにはならず、また、人体検知や照度検出信号により照明負荷を点灯制御する照明装置であるため、あえて壁スイッチのようなスイッチ手段を設けずに使用するユーザーにとっては、連続モードへの移行機能そのものが不要であったりすることもあり、依然として問題が解消されないものであった。
【０００９】
本発明は、上述の事実に鑑みてなされたものであって、その目的とするところは、電力が浪費されるようなことがなくなり、しかも、ユーザーが使い勝手や状況に応じて機能を自由自在に選択することができる照明装置を提供することにある。
【００１０】
【課題を解決するための手段】
本発明の請求項１に係る照明装置は、周囲の明るさを検出する照度検出手段と、人体の存在を検知する人体検知手段と、照明負荷を点灯制御する制御部と、停電検知回路部とを備え、前記照度検出手段によって検出された周囲の照度が予め設定された所定照度以下の場合に前記人体検知手段が人体を検知したときには、前記照明負荷をフル点灯（１００％点灯）制御し、前記人体検知手段が人体を検知しないときには、前記照明負荷を調光点灯、またはフル点灯（１００％点灯）制御させ、前記照度検出手段での検出照度が所定照度よりも高くなると、前記照明負荷を消灯させる制御手段（第一の制御手段）と、人体検知手段と照度検出手段の出力に関係なく強制的に前記照明負荷を連続点灯（フル点灯）させる制御手段（第二の制御手段）とを有し、壁スイッチのようなスイッチのＯＦＦ、ＯＮ操作により照明負荷の状態を変化させて切り替えることのできる制御装置を内蔵した照明装置であって、前記スイッチのＯＦＦ、ＯＮの切り替えを有効または無効とする切替手段を設け、前記スイッチの操作と組合せ、電源ＯＦＦ、ＯＮによる電源ＯＦＦ時間が所定時間内であるかどうかを判定し、所定時間内であれば、前記第一の制御手段から前記第二の制御手段へ移行させる照明装置において、強制的に前記照明負荷を消灯させる制御手段（第三の制御手段）を備え、有効である場合には、前記スイッチのＯＦＦ、ＯＮ操作により第一の制御手段から第二、第三へと順次移行させ、無効である場合には、第一の制御手段から第三の制御手段へ移行させることを特徴とする。
【００１１】
本発明の請求項２に係る照明器具は、請求項１記載の照明装置本体を有していることを特徴とする。
【００２１】
【発明の実施の形態】
以下、本発明を実施形態に係る図面に基づいて詳しく説明する。
【００２２】
図１は、本発明の第１の実施形態に係る照明装置の構成を示すブロック図である。図２は、本発明の第２の実施形態に係る照明装置の構成を示すブロック図である。図３は、本発明の第２の実施形態に係る照明装置の切替手段の設定部を示した正面図である。図４は、本発明の第２の実施形態に係る照明装置の切替手段の設定部を示した正面図である。図５は、本発明の第３の実施形態に係る照明装置の参考例の構成を示すブロック図である。図６は、本発明の第３の実施形態に係る照明装置の参考例の制御動作を示したタイミングチャートである。図７は、本発明の第３の実施形態に係る照明装置の構成を示すブロック図である。図８は、本発明の第３の実施形態に係る照明装置の制御動作を示したタイミングチャートである。
【００２３】
本発明の照明装置は、図１に示すごとく、壁スイッチのようなスイッチ２０のＯＦＦ、ＯＮ操作により負荷の状態を変化させて切り替えることのできる制御装置を内蔵した照明装置において、壁スイッチのＯＦＦ、ＯＮの切り替えを有効または無効とする切替手段１８を設けているものである。
【００２４】
また、本発明の照明装置は、図１に示すごとく、周囲の明るさを検出する照度検出手段１１と、人体の存在を検知する人体検知手段１２と、照明負荷１７を点灯制御する制御部１３と、停電検知回路部１６とを備え、前記照度検出手段１１によって検出された周囲の照度が予め設定された所定照度以下の場合に前記人体検知手段１２が人体を検知したときには、前記照明負荷１７をフル点灯（１００％点灯）制御し、前記人体検知手段１２が人体を検知しないときには、前記照明負荷１７を消灯や調光点灯、またはフル点灯（１００％点灯）制御させ、前記照度検出手段１１での検出照度が所定照度よりも高くなると、前記照明負荷１７を消灯させる制御手段（第一の制御手段）と、人体検知手段１２と照度検出手段１１の出力に関係なく強制的に前記照明負荷１７を連続点灯（フル点灯）させる制御手段（第二の制御手段）とを有し、例えば壁スイッチのようなスイッチ２０の操作と組合せ、電源ＯＦＦ、ＯＮによる電源ＯＦＦ時間が所定時間内であるかどうかを判定し、所定時間内であれば、前記第一の制御手段から前記第二の制御手段へ移行させる照明装置において、有効であることを条件に制御手段を移行させているものである。
【００２５】
そして、本発明の照明装置は、図１に示すごとく、周囲の明るさを検出する照度検出手段１１と、人体の存在を検知する人体検知手段１２と、照明負荷を点灯制御する制御部１３と、停電検知回路部１６とを備え、前記照度検出手段１１によって検出された周囲の照度が予め設定された所定照度以下の場合に前記人体検知手段１２が人体を検知したときには、前記照明負荷１７をフル点灯（１００％点灯）制御し、前記人体検知手段１２が人体を検知しないときには、前記照明負荷１７を調光点灯、またはフル点灯（１００％点灯）制御させ、前記照度検出手段１１での検出照度が所定照度よりも高くなると、前記照明負荷１７を消灯させる制御手段（第一の制御手段）と、人体検知手段１２と照度検出手段１１の出力に関係なく強制的に前記照明負荷１７を連続点灯（フル点灯）させる制御手段（第二の制御手段）とを有し、例えば壁スイッチのようなスイッチ２０の操作と組合せ、電源ＯＦＦ、ＯＮによる電源ＯＦＦ時間が所定時間内であるかどうかを判定し、所定時間内であれば、前記第一の制御手段から前記第二の制御手段へ移行させる照明装置において、強制的に前記照明負荷１７を消灯させる制御手段（第三の制御手段）を備え、壁スイッチのＯＦＦ、ＯＮ操作により前記第一の制御手段から前記第二の制御手段へ、前記第二の制御手段から前記第三の制御手段へ順次移行させるものであってもかまわないものである。
【００２６】
以下、本発明の実施形態を個々に説明する。
【００２７】
（実施形態１）
図１は、本発明の第１の実施形態に係る照明装置の構成を示すブロック図である。
【００２８】
上述した従来の照明装置と異なる点は、図１に示すようにモード移行動作の有効または無効を選択する切替スイッチ１８を有したことである。以下、動作を簡単に説明する。
【００２９】
切替スイッチ１８がＯＮの場合、制御部１３はモード移行動作を有効と判断し、上述のセンサモードにおいて、スイッチ２０がＯＦＦされると、停電検知回路部１６は制御部１３へ信号を出力し、制御部１３は再びスイッチ２０がＯＮされるまでの時間が所定時間内であるかどうかを判定する。スイッチ２０のＯＦＦ時間が所定時間（例えば０．２秒から２秒）内であれば、照度検出手段１１と人体検知手段１２との出力に関係なく制御部１３は強制的に照明負荷１７を連続点灯（フル点灯）させる連続モードへ移行する。逆に切替スイッチ１８がＯＦＦの場合は、制御部１３はモード移行動作を無効と判断し、上述のセンサモードにおいてモード移行のスイッチ操作があっても連続モードへ移行させず、センサモードを継続させるものである。
【００３０】
このように制御動作する照明装置においては、制御部１３が切替スイッチ１８の状態を検出し、ＯＮの場合はモード移行のスイッチ操作によりセンサモードから連続モードへ移行するが、ＯＦＦの場合はモード移行のスイッチ操作があってもセンサモードを継続させるものであるため、ユーザーが使い勝手や状況に応じて機能を選択できる効果がある。つまり、切替スイッチ１８をＯＦＦにした場合は、瞬時停電や、ユーザーが誤ってスイッチ操作をした場合でも連続モードへ移行することがなく、点きっぱなしにより電力が浪費されるという問題点をなくすことができ、特にあえて壁スイッチのようなスイッチ手段を設けずに使用するユーザーにとっては使い勝手が向上する。また、切替スイッチ１８をＯＮにした場合も、従来と同様に例えば壁スイッチのようなスイッチ操作により簡単にセンサモードから連続モードへのモード移行ができ、従来の使い勝手を損なうこともないものである。
【００３１】
（実施形態２）
図２は、本発明の第２の実施形態に係る照明装置の構成を示すブロック図である。
【００３２】
上述の第１の実施形態と異なる点は、切替手段１８をスイッチではなく、可変抵抗器で構成し、制御部１３の内部にタイマー部１９を設けたことにある。図３、図４は本実施形態の切替手段１８の設定部を示したものである。
【００３３】
図３のように切替手段１８の凹部が「切」の位置にある場合、制御部１３は切替手段１８の設定を検出し、モード移行動作を無効と判断する。上述のセンサモードにおいてモード移行のスイッチ操作があっても連続モードへ移行させず、センサモードを継続させるものである。逆に、図４のように切替手段１８の凹部が「切以外」の位置にある場合、制御部１３は切替手段１８の設定を検出し、モード移行動作を有効と判断する。上述のセンサモードにおいて、スイッチ２０がＯＦＦされると、停電検知回路部１６は制御部１３へ信号を出力し、制御部１３は再びスイッチ２０がＯＮされるまでの時間が所定時間内（例えば０．２秒から２秒）であるかどうかを判定する。スイッチ２０のＯＦＦ時間が所定時間内であれば、照度検出手段１１と人体検知手段１２との出力に関係なく制御部１３は強制的に照明負荷１７を連続点灯（フル点灯）させる連続モードへ移行する。ここで、連続モードに移行した時点で制御部１３内のタイマー部１９は切替手段１８で設定された所定時間のタイマー（本実施例では４時間）を動作させ、タイマーが動作中の場合は連続モードを継続するが、所定時間が経過すると制御部１３は自動的に連続モードからセンサモードへ戻す動作となる。さらに、切替手段１８の凹部を「連続」の位置にすると（図示せず）、上述のモード移行のスイッチ操作によりセンサモードから連続モードへ移行するが、制御部１３はタイマー部１９を動作させず、連続モードを継続させるものである。
【００３４】
このように制御動作する照明装置においては、前記第１の実施形態と略同様の効果に加えて、モード移行後の時間制御についても設定できるようにしているため、更に使い勝手が向上するものである。
【００３５】
なお、本実施形態では、切替手段１８を可変抵抗器で構成しているが、これに限らずスライドスイッチなどの切替手段であっても良いことは言うまでもなく、タイマー部１９による時間設定も２Ｈ、４Ｈ、６Ｈに限らなくても良いものである。
【００３６】
（実施形態３）
図５は、本発明の第３の実施形態に係る照明装置の参考例の構成を示すブロック図である。そして、図６は、本発明の第３の実施形態に係る照明装置の参考例の制御動作を示したタイミングチャートである。
【００３７】
まず、上述した従来例と異なる点は、スイッチ２０にほたるスイッチを設けた点である。スイッチ部２１がＯＦＦの場合、ネオン管２２と減流用抵抗２３の直列回路を介し、微弱電流が流れてネオン管２２が点灯するが、スイッチ部２１がＯＮの場合は上述の直列回路を介さずに照明装置本体１０へ電源が供給されるものである。つまり、スイッチ部２１がＯＦＦしたときにスイッチ内部のネオン管２２が点灯するため、例えば、廊下や階段などの暗い所に設置された照明装置本体１０内の照明負荷１７が消灯していても、スイッチ２０の位置がわかるようにしたものである。
【００３８】
ここで、上述のセンサモードにおいて、スイッチ部２１がＯＦＦされると（図６  ｃ点）、停電検知回路部１６は制御部１３へ信号を出力し、制御部１３は再びスイッチ２１がＯＮされるまでの時間Ｔが所定時間内（例えば０．２秒から２秒）であるかどうかを判定する（図６  ｃ〜ｄ点）。スイッチ２１のＯＦＦ時間Ｔが所定時間内であれば、照度検出手段１１と人体検知手段１２との出力に関係なく制御部１３は強制的に照明負荷１７を連続点灯（フル点灯）させる連続モードへ移行する。また、落雷などの瞬時停電が起き、図６のＡ接点がＯＦＦされると（図６  ａ点）、停電検知回路部１６は同様に制御部１３へ信号を出力し、制御部１３は再びＡ接点がＯＮ（復電）されるまでの時間ｔが所定時間内（例えば０．２秒から２秒）であれば、やはり連続点灯（フル点灯）させる連続モードへ移行してしまうのである。
【００３９】
図７は、本発明の第３の実施形態に係る照明装置の構成を示すブロック図である。そして、図８は、本発明の第３の実施形態に係る照明装置の制御動作を示したタイミングチャートである。図５の参考例と異なる点は、電流検出用としてのトランス１８を照明装置本体１０内に設け、二次巻線の出力を停電検知回路１６に接続したことにある。動作を説明すると、上述のセンサモードにおいて、スイッチ２１がＯＦＦされると（図８  ｃ点）、スイッチ２０内部のネオン管２２と減流用抵抗２３、照明装置本体１０内のトランス１８の一次巻線の直列回路を介して微弱電流が流れ、トランス１８の二次側には電圧が誘起される。次に停電検知回路１６は二次側の電圧を検出して所定のしきい値の範囲内であれば、制御部１３へ信号を出力し、制御部１３は再びスイッチ２１がＯＮされるまでの時間Ｔ、つまり停電検知回路１６の出力時間が所定時間内（例えば０．２秒から２秒）であるかどうかを判定する（図８  ｃ〜ｄ点）。時間Ｔが所定時間内であれば、照度検出手段１１と人体検知手段１２との出力に関係なく制御部１３は強制的に照明負荷１７を連続点灯（フル点灯）させる連続モードへ移行するものである。ここで、落雷などの瞬時停電が起き、図７のＡ接点がＯＦＦされると、スイッチ２０及び照明装置本体１０へ電源が供給されなくなるため、トランス１８の二次側電圧は誘起されず、停電検知回路１６の出力もＯＦＦとなる（図８  ａ〜ｂ点）。制御部１３は停電検知回路１６からの出力信号がないため、センサモードを継続させるのである。
【００４０】
このように制御動作する照明装置においては、停電検知回路１６がトランス１８の二次側電圧を検出し、所定のしきい値範囲内である、つまり、ほたる電流を検出することを条件に制御部１３へ信号を出力し、制御部１３はセンサモードから連続モードへ移行させるため、瞬時停電などの電源環境変化によって意図せずモードが移行してしまう、という不具合をなくすことができ、つきっぱなしにより電力が浪費されるという問題点をなくす効果がある。
【００４１】
なお、本実施形態では、ほたる電流の検出手段としてトランスを用いて説明したが、それに限らず、他の手段にて検出しても略同様の効果が得られることは言うまでもない。
【００４２】
【発明の効果】
このように構成した本発明の照明装置によると、モード移行動作の有効または無効を選択する切替手段を設けたことを特徴としているため、ユーザーが使い勝手や状況に応じて機能を選択できる効果がある。つまり、移行動作を無効にした場合は、瞬時停電や、ユーザーが誤ってスイッチ操作をした場合でも連続モードへ移行することがなく、点きっぱなしにより電力が浪費されるという問題点をなくすことができ、特にあえて壁スイッチのようなスイッチ手段を設けずに使用するユーザーにとっては使い勝手が向上するものである。また、移行動作を有効にした場合も、従来と同様に例えば壁スイッチのようなスイッチ操作により簡単にセンサモードから連続モードへのモード移行ができ、従来の使い勝手を損なうこともないものである。
【００４３】
さらには、ほたる電流を検出する手段を設け、検出することを条件に制御部はセンサモードから連続モードへ移行させるため、例えば、落雷などの瞬時停電、電源環境変化によって意図せずモードが移行してしまう、という不具合をなくすことができ、つきっぱなしにより電力が浪費されるという問題点をなくす効果がある。
【００４４】
なお、本発明のように有効または無効を選択する切替手段を設ける、または、ほたる電流を検出する手段を設け、検出することを条件に負荷状態の切替を有効とする構成にすれば、本発明の実施例の構成に限らず、壁スイッチのＯＦＦ、ＯＮ操作により負荷の状態を例えばフル点灯（１００％点灯）、調光点灯、豆球点灯、消灯と切替えることのできる照明装置においても、本発明と同様の効果が得られることは言うまでもないものである。照明装置が、リモコン式である場合も同様の効果が得られるのである。
【図面の簡単な説明】
【図１】本発明の第１の実施形態に係る照明装置の構成を示すブロック図である。
【図２】本発明の第２の実施形態に係る照明装置の構成を示すブロック図である。
【図３】本発明の第２の実施形態に係る照明装置の切替手段の設定部を示した正面図である。
【図４】本発明の第２の実施形態に係る照明装置の切替手段の設定部を示した正面図である。
【図５】本発明の第３の実施形態に係る照明装置の参考例の構成を示すブロック図である。
【図６】本発明の第３の実施形態に係る照明装置の参考例の制御動作を示したタイミングチャートである。
【図７】本発明の第３の実施形態に係る照明装置の構成を示すブロック図である。
【図８】本発明の第３の実施形態に係る照明装置の制御動作を示したタイミングチャートである。
【図９】一従来例に係る照明装置の構成を示すブロック図である。
【符号の説明】
１０  照明装置本体
１１  照度検出手段
１２  人体検知手段
１３  制御部
１６  停電検知回路部
１７  照明負荷
１８  切替手段
２０  スイッチ
【図１】
0003788332.tif 000002
【図２】
0003788332.tif 000003
【図３】
0003788332.tif 000004
【図４】
0003788332.tif 000005
【図５】
0003788332.tif 000006
【図６】
0003788332.tif 000007
【図７】
0003788332.tif 000008
【図８】
0003788332.tif 000009
【図９】
0003788332.tif 000010